(57)【要約】      （修正有）【課題】被測定アンテナを取り囲む全立体面の電界分布の測定を必要とせず、また、必要な１つの平面内の近距離フレネル領域での測定結果から直接、遠方界放射パターンを簡便に精度よく計算できる方法を提供する。【解決手段】フレネル領域における測定結果から、理論的に計算される誤差電界パターンを引き算することによって遠方界放射パターンを求める。【選択図】図４
2004354362.tif 000002
【特許請求の範囲】
【請求項１】
被測定アンテナの開口寸法をＤ、使用する電波の波長をλとするとき、上記被測定アンテナに対向するアンテナとの間の距離が２Ｄ２／λ以下であり、その距離で測定された上記被測定アンテナの放射パターンと、その距離によって生じる位相誤差に基づく理論的な誤差電界パターンとから、遠方界の放射パターンを算出することを特徴とするアンテナの遠方界放射パターン測定法。
【発明の詳細な説明】
【０００１】
【産業上の利用分野】
この発明は、アンテナからの距離の短い、いわゆるフレネル領域で測定された放射パターンから簡便で精度よく遠方界の放射パターンを算出することのできるアンテナの遠方界放射パターン測定法に関するものである。
【０００２】
【従来の技術】
アンテナは通常、遠方界領域で使用されるため、上記アンテナを試験・評価するためにその放射パターンを測定する場合は、上記の被測定アンテナから十分遠方の遠方界領域に対向する送信アンテナを設置して放射パターンを測定する。この遠方界領域は、上記の被測定用のアンテナの開口寸法をＤ、使用する電波の波長をλとするとき、距離が２Ｄ２／λ以上の領域と定義される。しかし、この測定距離は場合によって数１００ｍから数ｋｍに及ぶことがあり、このような広い敷地を確保することが現実には困難であることが多い。したがって、被測定アンテナからの距離が上記の２Ｄ２／λ以下の近距離の領域すなわちフレネル領域での測定から遠方界放射パターンを精度よく算出できれば実用上極めて有効になる。
従来、アンテナのフレネル領域での放射パターンから遠方界の放射パターンを得るためには、上記被測定アンテナを取り囲む立体面上の放射電界の振幅・位相を測定し、これをフーリエ変換することによって上記被測定アンテナの開口面上の電磁界分布を求め、この開口面電磁界分布から遠方界放射パターンを計算する方法がとられていた。
【０００３】
【発明が解決しようとする課題】
従来のフレネル界領域でのアンテナ測定では、上記のように被測定アンテナを取り囲む全立体面上の電界分布を全て測定する必要があった。これは、例え必要な遠方界放射パターンが１つの平面内、例えば水平面内のみであったとしても、常に全立体面上の電界分布の測定が必要であった。これを行なうためには、被測定アンテナを水平面内と垂直面内の２つの面内で回転させるように２軸の回転台を用いる必要があった。あるいは、被測定アンテナは水平面内のみ回転させ、対向する送信アンテナを垂直方向に移動させながら測定する必要があり、このために送信アンテナ側には垂直方向移動のためのスキャナー装置が必要であった。また、全立体面の電界を測定するために極めて多大の測定時間を要した。さらに、測定された電界分布をフーリエ変換して被測定アンテナの開口面上の電磁界分布を計算し、これを用いてさらに遠方界の放射パターンを計算するために、複雑で高価な計算処理ソフトウエアが必要であった。
【０００４】
この発明は、このような問題点を解決するためになされたもので、被測定アンテナを取り囲む全立体面の電界分布の測定を必要とせず、また、必要な１つの平面内の近距離フレネル領域での測定結果から直接、遠方界放射パターンを簡便に精度よく計算できる方法を提供するものである。
【０００５】
【課題を解決するための手段】
この発明に係る遠方界放射パターン測定法は、被測定アンテナの開口寸法をＤ、使用する電波の波長をλとするとき、上記被測定アンテナと対向する送信または受信用のアンテナとの間の距離が２Ｄ２／λ以下であり、その距離で測定された上記被測定アンテナの測定パターンと、その距離によって生じる位相誤差に基づく理論的な誤差電界パターンとから遠方界の放射パターンを計算するものである。
【０００６】
【作用】
この発明においては、フレネル領域における測定結果から、理論的に計算された誤差電界パターンを引き算することによって遠方界放射パターンを求める。
【０００７】
【実施例】
以下、本発明による遠方界放射パターン測定法について、図面を参照して説明する。
図１は被測定アンテナの説明図で、１が被測定アンテナである。被測定アンテナ１は長さがＤの線状のアンテナである。図１には座標軸ｘと観測角θも示している。
【０００８】
図２はフレネル領域でのアンテナ測定の説明図で、２は送信アンテナである。被測定アンテナ１と送信アンテナ２との距離Ｒは、電波の波長をλとするとき、２Ｄ２／λ以下である。Ｄは被測定アンテナ１の長さである。
【０００９】
図２において、被測定アンテナ１の上のｘ点における送信アンテナからの距離と上記距離Ｒとの距離差ΔＲは、図２より次式で与えられる．
2004354362.tif 000003
したがって，この距離差による位相誤差は次式となる．
Δφ＝−ｋ（ｘ２／２Ｒ）                          （数２）
ただし，  ｋ＝２π／λ  （λ；波長）                        （数３）
【００１０】
さて，以上より図２のフレネル領域における被測定アンテナ１の放射パターンは次式で表わされる．
2004354362.tif 000004
ただし，
2004354362.tif 000005
【００１１】
ここで、（数４）の右辺で距離差に基づく位相誤差項ｅｊΔφ（ｘ）は次のように置き換えることができる。
ｅｊΔφ＝（ｅｊΔφ−１）＋１＝１＋Δｐ（ｘ）      （数５）
ただし、    Δｐ（ｘ）＝ｅｊΔφ（ｘ）−１                      （数６）
（数５）を（数４）に代入すれば次式が得られる。
2004354362.tif 000006
この式は２つの積分に分けられ、次のようになる。
Ｆ（θ）＝Ｅ（θ）＋ΔＦ（θ）                    （数８）
ただし，
2004354362.tif 000007
ここで、（数９）のＥ（θ）は位相誤差のない遠方界放射パターンであり、（数１０）のΔＦ（θ）は位相誤差に基づく誤差電界放射パターンである。すなわち、（数５）の置き換えによりフレネル界放射パターンは遠方界と誤差電界に切り分けることができる。
【００１２】
（数８）より、逆に遠方界パターンはフレネル界パターンより次のように表わされる。
Ｅ（θ）＝Ｆ（θ）−ΔＦ（θ）                  （数１１）
ここで、理論的なフレネル界パターンＦ（θ）の代りにフレネル界で測定された
放射パターンＦ’（θ）を用いれば、
【数１１】に基づき遠方界パターンＥ’（θ）を次式から求めることができる。
Ｅ’（θ）＝Ｆ’（θ）−ΔＦ（θ）              （数１２）
ただし、ΔＦ（θ）は（数１０）で与えられる理論的な誤差電界であり、計算で求めることができる。
【００１３】
【数１２】が本発明における遠方界放射パターン測定法の測定原理である。すなわち、図２における近距離のフレネル領域で測定されたフレネル界放射パターンＦ’（θ）から、（数１０）で与えられる理論的な誤差電界ΔＦ（θ）を計算し引き算することによって遠方界放射パターンを求めることができる。
【００１４】
図３は、本発明による遠方界放射パターン測定法を適用するアンテナの実施例である。図中、３はリニアアレーアンテナ、４は素子アンテナである。測定の手順としては、上記リニアアレーアンテナ３を図２における被測定アンテナ１の替わりに用い、これを送信アンテナ２に対向し、かつ送信アンテナ２との距離がフレネル界の近距離領域内にあるように設置する。つぎに、通常の遠方界放射パターン測定と全く同様にしてリニアアレーアンテナのフレネル界における放射パターンＦ’（θ）を測定する。一方、図２の測定距離Ｒと（数２）から位相誤差Δｐ（ｘ）を
2004354362.tif 000008
り誤差電界ΔＦ（θ）を計算する。つぎに、測定フレネル界放射パターンＦ’（θ）と誤差電界ΔＦ（θ）を（数１２）に代入することによって、所望の遠方界放射パターンＥ’（θ）を得ることができる。
【００１５】
図４は、上記遠方界放射パターンＥ’（θ）のシミュレーション結果の説明図である。図中、５は測定フレネル界放射パターンＦ’（θ）、６は本発明によって得られた遠方界放射パターンＥ’（θ）、７は比較のための真の遠方界放射パターンである。シミュレーションの条件としては、周波数は１０ＧＨｚ帯（波長は約３０ｍｍ）、リニアアレーアンテナの長さは１５０ｍｍ、測定距離は１００ｍｍである。なお、ちなみに遠方界の距離２Ｄ２／λは約１５００ｍｍである。図３より、本発明の測定法により得られた遠方界放射パターン６は真の遠方界放射パターン７に十分よく合っている。
【００１６】
なお、上記の実施例では被測定アンテナ１としてリニアレーアンテナを用いた場合について説明したが、本発明はこのようなアレーアンテナに限定されることはなく、ホーンアンテナやパラボラアンテナなどの連続的な開口をもつアンテナ、八木アンテナやログペリアンテナのようなエンドファイア型アンテナ、あるいはヘリカルアンテナやスパイラルアンテナなどの円偏波アンテナなど、すべてのアンテナに実施し同様の効果を得ることができる。また、実施例のリニアアレーアンテナのように直線状のアンテナである必要はなく、アンテナ開口が２次元状に広がったアンテナに実施できる。さらに。測定距離は遠方界の距離２Ｄ２／λ以下であれば任意でよい。なおまた、被測定アンテナに対向するアンテナを送信アンテナとして説明したが、受信アンテナとしてももちろん構わない。
【００１７】
【発明の効果】
以上のようにこの発明によれば、広い測定場を必要とせず、狭い測定場で必要な遠方界放射パターンを得ることができる。また、近距離のフレネル界放射パターンの測定は、必要な観測面内だけで行なえば十分であり、被測定アンテナを取り囲む全立体角について測定する必要がないので、回転台などの測定設備も簡単であり、測定に要する時間も大幅に短縮できる。さらに、測定された近距離におけるフレネル放射パターンから遠方界放射パターンを計算するために、複雑で高価な計算処理ソフトウエアを使う必要がなく、処理に要する費用や時間も大幅に縮減される。
【図面の簡単な説明】
【図１】本発明における被測定アンテナの説明図である。
【図２】本発明におけるフレネル領域でのアンテナ測定の説明図である。
【図３】本発明を適用するアンテナの実施例である。
【図４】本発明による遠方界放射パターンのシミュレーション結果の説明図である。
【符号の説明】
１；被測定アンテナ
２；送信アンテナ
３；リニアアレーアンテナ
４；素子アンテナ
５；測定フレネル界放射パターン
６；本発明によって得られた遠方界放射パターン
７；真の遠方界放射パターン
【図１】
2004354362.tif 000009
【図２】
2004354362.tif 000010
【図３】
2004354362.tif 000011
【図４】
2004354362.tif 000012